(57)【要約】【課題】コアを引き出す場合に所定の距離だけ引出し、導線の切断を防ぐ電子体温計のコアストッパー構造を提供する。【解決手段】本体内に、電子回路、電子素子等を具えるコアを設けてなる体温計の本体内壁に突起したストッパーを設け、且つ該コアの所定の位置に突起した当止部を設け、該本体から該コアを引き出すと、該コアの当止部が該本体のストッパーに当止して、該コアが所定の距離だけ移動した後、更に外方向に引き出されないように構成する。【選択図】図１
2006258788.tif 000002
【特許請求の範囲】
【請求項１】
本体内に、電子回路、電子素子等を具えるコアを設けてなる体温計において、
該本体内壁に突起したストッパーを設け、且つ該コアの所定の位置に突起した当止部を設け、
該本体から該コアを引き出すと、該コアの当止部が該本体のストッパーに当止して、該コアが所定の距離だけ移動した後、更に外方向に引き出されないように構成すること特徴とする電子体温計のコアストッパー。
【請求項２】
前記本体内壁の所定の位置に開口を穿設し、該開口に、該本体の内側に面する部分が該本体の内壁より突出するように形成したストッパーを設けることを特徴とする請求項１に記載の電子体温計のコアストッパー。
【請求項３】
前記当止部が該コア表面と一体に形成されることを特徴とする請求項１に記載の電子体温計のコアストッパー。
【請求項４】
前記当止部が該コアの端縁壁であることを特徴とすることを特徴とする請求項１に記載の電子体温計のコアストッパー。
【請求項５】
前記当止部が該コアの端縁壁の延伸物であることを特徴とすることを特徴とする請求項１に記載の電子体温計のコアストッパー。
【請求項６】
前記ストッパーが該コアに設けられる電子素子か、もしくは凸点であること特徴とする請求項１に記載の電子体温計のコアストッパー。
【請求項７】
前記当止部前端のコア表面にガイド溝を形成することを特徴とする請求項１に記載の電子体温計のコアストッパー。
【請求項８】
本体内に、電子回路、電子素子等を具えるコアを設けてなる体温計において、
該本体の覗き窓の内壁端縁部の所定の位置に突起部を形成し、該コアに設ける表示装置の端縁部の所定の位置に突起部を設け、
該本体から該コアを引き出すと、該コアの突起部が該本体の突起部に当止して、該コアが所定の距離だけ移動した後、更に外方向に引き出されないように構成すること特徴とする電子体温計のコアストッパー。
【請求項９】
本体内に、電子回路、電子素子等を具えるコアを設けてなる体温計において、
該本体の内壁に突起したストッパーを設け、該コアの所定の位置に凹状の係合溝を形成し、
該本体から該コアが所定のストロークだけ移動すると該本体のストッパーが該コアの係合溝に係合し、該コアが所定の距離だけ移動した後、更に外方向に引き出されないように構成すること特徴とする電子体温計のコアストッパー。
【請求項１０】
前記係合溝の前方に該ストッパーを該係合溝にガイドするガイド溝を形成することを特徴とする請求項９に記載の電子体温計のコアストッパー。
【発明の詳細な説明】
【技術分野】
【０００１】
この発明は電子体温計に関し、特に電子回路、電子素子等を具え、電子体温計の本体内に設けられるコアを引き出す場合、コアを引き出す長さを制限する電子体温計のコアストッパーに関する。
【背景技術】
【０００２】
電子体温計が発明される以前においては、体温を測るために水銀体温計が広く用いられていた。水銀体温計は、水銀が熱によって自然に膨張、収縮する現象を応用したものであって、体温を測る場合にプローブ部が熱を受けると水銀がガラス製の毛細管内で自然に膨張する。このため、ガラス管の外部に表示された目盛りを介して温度測定の結果を読み取ることができる。但し、水銀は汚染を招くため、近年になって電子技術を利用して検温する電子体温計が生まれ、高度な汚染の原因となる従来の水銀体温計に取って代わろうとしている。
【０００３】
電子体温計は電池の電力を使い切り、電池を交換する場合、電子回路、電子素子等を具え、電子体温計の本体内に設けられるコアを引き出さなければならない。該コアは導線に接続している。導線の他端は温度センサに接続し、温度計前端のプローブ部内に固定される。但し、コアを引き出す場合、引き出す長さを確定することができないため導線が切断され、体温計を正常に使用することができなくなる。
【発明の開示】
【発明が解決しようとする課題】
【０００４】
この発明は、電池を交換する場合等、コアを引き出す場合にコアを所定の距離だけ引出し、導線の切断を防ぐことのできる電子体温計のコアストッパーを提供することを課題とする。
【課題を解決するための手段】
【０００５】
そこで、本発明者は従来の技術に見られる欠点に鑑み鋭意研究を重ねた結果、本体内に、電子回路、電子素子等を具えるコアを設けてなる体温計の本体内壁に突起したストッパーを設け、且つ該コアの所定の位置に突起した当止部を設け、該本体から該コアを引き出すと、該コアの当止部が該本体のストッパーに当止して、該コアが所定の距離だけ移動した後、更に外方向に引き出されないように構成してなる電子体温計のコアストッパーによって課題を解決できる点に着眼し、かかる知見に基づいて本発明を完成させた。
【０００６】
以下、この発明について具体的に説明する。
請求項１に記載する電子体温計のコアストッパーは、本体内に、電子回路、電子素子等を具えるコアを設けてなる体温計において、
該本体内壁に突起したストッパーを設け、且つ該コアの所定の位置に突起した当止部を設け、
該本体から該コアを引き出すと、該コアの当止部が該本体のストッパーに当止して、該コアが所定の距離だけ移動した後、更に外方向に引き出されないように構成する。
【０００７】
請求項２に記載する電子体温計のコアストッパーは、請求項１における本体内壁の所定の位置に開口を穿設し、該開口に、該本体の内側に面する部分が該本体の内壁より突出するように形成したストッパーを設ける。
【０００８】
請求項３に記載する電子体温計のコアストッパーは、請求項１における当止部が該コア表面と一体に形成される。
【０００９】
請求項４に記載する電子体温計のコアストッパーは、請求項１における当止部が該コアの端縁壁である。
【００１０】
請求項５に記載する電子体温計のコアストッパーは、請求項１における当止部が該コアの端縁壁の延伸物である。
【００１１】
請求項６に記載する電子体温計のコアストッパーは、請求項１におけるストッパーが該コアに設けられる電子素子か、もしくは凸点である。
【００１２】
請求項７に記載する電子体温計のコアストッパーは、請求項１における当止部前端のコア表面にガイド溝を形成する。
【００１３】
請求項８に記載する電子体温計のコアストッパーは、本体内に、電子回路、電子素子等を具えるコアを設けてなる体温計において、
該本体の覗き窓の内壁端縁部の所定の位置に突起部を形成し、該コアに設ける表示装置の端縁部の所定の位置に突起部を設け、
該本体から該コアを引き出すと、該コアの突起部が該本体の突起部に当止して、該コアが所定の距離だけ移動した後、更に外方向に引き出されないように構成する。
【００１４】
請求項９に記載する電子体温計のコアストッパーは、本体内に、電子回路、電子素子等を具えるコアを設けてなる体温計において、
該本体の内壁に突起したストッパーを設け、該コアの所定の位置に凹状の係合溝を形成し、
該本体から該コアが所定のストロークだけ移動すると該本体のストッパーが該コアの係合溝に係合し、該コアが所定の距離だけ移動した後、更に外方向に引き出されないように構成する。
【００１５】
請求項１０に記載する電子体温計のコアストッパーは、請求項９における係合溝の前方に該ストッパーを該係合溝にガイドするガイド溝を形成する。
【発明の効果】
【００１６】
本発明の電子体温計のコアストッパーは、電子回路、電子素子等を具えるコアを引き出して電池を交換する場合、コアが引き出される長さを制限し、該コアの一端に接続する導線が引っ張られて切断することを防ぐため、電子体温計の正常な作動を維持することができ、使用寿命を延長できるという利点がある。
【発明を実施するための最良の形態】
【００１７】
この発明は電子体温計のコアストッパーを提供するものであって、本体内に、電子回路、電子素子等を具えるコアを設けてなる体温計の本体内壁に突起したストッパーを設け、且つ該コアの所定の位置に突起した当止部を設け、該本体から該コアを引き出すと、該コアの当止部が該本体のストッパーに当止して、該コアが所定の距離だけ移動した後、更に外方向に引き出されないように構成し、コアを引き出して電池を交換する場合、コアが引き出される長さを制限し、該コアの一端に接続する導線が引っ張られて切断することを防ぐという目的を、実現した。
係る構成の電子体温計のコアストッパーについて、その構造と特徴を詳述するために具体的な実施例を挙げ、以下に説明する。
【実施例１】
【００１８】
図１、２、３に開示するように、この発明のコアストッパーは電子体温計１内に設けられ、電子体温計１は本体１０と、コア２０と、温度センサ３０と、導線４０とを含んでなる。
【００１９】
本体１０は、温度の表示を見るために本体１０の表面に設けられる覗き窓１１と、別途表面に設けられる押圧部１２と、一端に設けられるプローブ部１３と、他端に着脱自在に設けられるキャップ部１４と、キャップ部１４を冠着する場合に防水効果を得るために本体１０に設けるパッキング１４１とを具える。
【００２０】
コア２０は、関連するセンサ回路、電子素子、温度を表示する表示装置２１などを具えてなり、さらに一端に電池２２を有する。
【００２１】
温度センサ３０は本体１０のプローブ部１３内に設けられる。
【００２２】
導線４０は、一端が温度センサ３０に接続し、他端がコア２０に接続して温度センサ３０の出力する温度感知信号をコア２０に送信する。該温度感知信号はコア２０において温度を正確に計算する場合の依拠となるものである。
【００２３】
また、温度計本体１０の内壁の所定の位置に開口１５を穿設する。開口１５にはストッパー１６を設ける。ストッパー１６は本体１０の内側に面する部分が本体１０の内壁より突出するように形成する。コア２０には、本体１０のストッパー１６に対応する設置面の所定の位置に突出した当止部２３を設ける。該当止部２３は、コア２０の表面と一体に形成する（例えばプラスティックの端縁壁、もしくは端縁壁の延伸物）か、もしくは別途設ける。当止部２３前端のコア２０表面にはガイド溝を形成する（図示しない）。よって、コア２０が引き出されて移動する場合、ストッパー１６がスライド溝内を摺動し、正確に当止部２３に当止する。
【００２４】
図４に開示するように、コア２０を引き出す場合（電池２２を交換する場合等）、コア２０は所定のストロークだけ移動すると、当止部２３がストッパー１６に当止する。よってコア２０を所定の長さだけ引き出すと、更に継続して外方向に引き出すことができなくなる。このため、導線４０が切断することなくコア２０の正常な作動を保つことができる。
【実施例２】
【００２５】
図５にこの発明の第２の実施例を開示する。図面によれば本体１０ａの覗き窓１１ａには、内壁の端縁部の所定の位置に突起部１１１ａを形成する。別途コア２０の表示装置２１ａには端縁部の所定の位置に突起部２１１ａを形成する。よって、コア２０が所定のストロークだけ移動すると、コア２０ａの突起部２１１ａが本体１０の突起部１１１ａに当止する。このため、コア２０ａが所定の長さだけ引き出されると、更に継続して外方向に引き出すことができなくなり、導線４０の切断を防ぐことができる。従って、コア２０の正常な作動を保つことができる。
【実施例３】
【００２６】
図６にこの発明の第３の実施例を開示する。図面によれば本体１０ｂには、内壁の所定の位置にストッパー１１ｂを形成する。ストッパー１１ｂは、本体１０ｂの内側に面する部分が本体１０ｂの内壁より突出するように形成する。コア２０ｂには、本体１０ｂのストッパー１１ｂに対応する設置面の所定の位置に凹状の係合溝２１ｂを形成する。係合溝２１ｂの前方にはストッパー１１ｂを係合溝２１ｂにガイドするガイド溝２２ｂを形成する。よって、コア２０ｂが引き出されて移動する場合、コア２０ｂが所定のストロークだけ移動すると、本体１０ｂのストッパー１１ｂがコア２０ｂの係合溝２１ｂに係合する。このため、コア２０ｂが所定の長さだけ引き出されると、更に継続して外方向に引き出すことができなくなり、導線３０ｂの切断を防ぐことができる。従って、コア２０ｂの正常な作動を保つことができる。
【実施例４】
【００２７】
図７にこの発明の第４の実施例を開示する。図面によれば本体１０ｃの内壁の所定の位置にストッパー１１ｃを設ける。ストッパー１１ｃは本体１０ｃの内側に面する部分が本体１０ｃの内壁より突出するように形成する。コア２０ｃには、本体１０ｃのストッパー１１ｃに対応する設置面の所定の位置にバンプ２１を形成する。該バンプ２１ｃはコア２０ｃ上の電子素子か、もしくはプラスティック材によるの凸点である。よって、コア２０ｃを引き出す場合、コア２０ｃが所定のストロークだけ移動し、コア２０ｃのバンプ２１ｃが本体１０ｃのストッパー１１ｃに当止する。このため、更に継続して外方向に引き出すことができなくなり、導線３０ｃの切断を防ぐことができる。従って、コア２０ｃの正常な作動を保つことができる。
【００２８】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２９】
【図１】この発明における電子体温計の断面図と局部拡大図である。
【図２】この発明における電子体温計の断面図と他の局部拡大図である。
【図３】この発明における電子体温計の分解図である。
【図４】この発明におけるコア引出しの動作を示した説明図である。
【図５】第２の実施例における電子体温計の断面図と局部拡大図である。
【図６】第３の実施例における電子体温計の断面図と局部拡大図である。
【図７】第４の実施例における電子体温計の断面図と局部拡大図である。
【符号の説明】
【００３０】
１            電子体温計
１０          本体
１１          覗き窓
１２          押圧部
１３          プローブ部
１４          キャップ部
１４１ パッキング
１５          開口
１６          ストッパー
２０          コア
２１          表示装置
２２          電池
２３          当止部
３０          温度センサ
４０          導線
１ａ          電子体温計
１０ａ 本体
１１ａ ストッパー
１１１ａ      突起部
２０ａ コア
２１ａ 表示装置
２１１ａ      突起部
３０ａ 導線
１ｂ          電子体温計
１０ｂ 本体
１１ｂ ストッパー
２０ｂ コア
２１ｂ 係合溝
２２ｂ ガイド溝
３０ｂ 導線
１ｃ          電子体温計
１０ｃ 本体
１１ｃ ストッパー
２０ｃ コア
２１ｃ バンプ
３０ｃ 導線
【図１】
2006258788.tif 000003
【図２】
2006258788.tif 000004
【図３】
2006258788.tif 000005
【図４】
2006258788.tif 000006
【図５】
2006258788.tif 000007
【図６】
2006258788.tif 000008
【図７】
2006258788.tif 000009